(57)【要約】【課題】キッチン内部の空間に設置しても、キッチン下方の収納空間を減少することがなく、浄水器用フィルタカートリッジの交換がしやすく、浄水器用フィルタカートリッジの交換に手間がかからない浄水器用フィルタカートリッジ保持器具および浄水器を提供することにある。【解決手段】原水入口管と浄水出口管とを備え、かつ、浄水器用フィルタカートリッジを着脱可能に装着し得る浄水器用フィルタカートリッジ接続部と、壁面に固定し得る固定部とを有し、前記浄水器用フィルタカートリッジ接続部が、前記固定部に対してスライド可能となるように前記固定部に取り付けられた浄水器用フィルタカートリッジ保持器具。【選択図】図１
2016104476.tif 000002
【特許請求の範囲】
【請求項１】
原水入口管と浄水出口管とを備え、かつ、浄水器用フィルタカートリッジを着脱可能に装着し得る浄水器用フィルタカートリッジ接続部と、
壁面に固定し得る固定部とを有し、
前記浄水器用フィルタカートリッジ接続部が、前記固定部に対してスライド可能となるように前記固定部に取り付けられた浄水器用フィルタカートリッジ保持器具。
【請求項２】
前記固定部に対する前記浄水器用フィルタカートリッジ接続部のスライド可能範囲を規制する停止機構および前記固定部に対する前記浄水器用フィルタカートリッジ接続部の位置を保持する位置保持機構を有する請求項１の浄水器用フィルタカートリッジ保持器具。
【請求項３】
前記固定部に対する前記浄水器用フィルタカートリッジ接続部のスライド速度を規制する制動機構を有する請求項１または２の浄水器用フィルタカートリッジ保持器具。
【請求項４】
前記浄水器用フィルタカートリッジ接続部が、弾性部材を備え、
前記固定部が、スライド方向に沿った複数の凹部および／または凸部を備え
前記弾性部材と前記複数の凹部および／または凸部とが係合されており、
前記制動機構が、少なくとも前記弾性部材と前記複数の凹部および／または凸部とにより構成された請求項３の浄水器用フィルタカートリッジ保持器具。
【請求項５】
エアダンパーを有し、
前記エアダンパーの伸長方向の一方の端部が、前記浄水器用フィルタカートリッジ接続部に固定され、
前記エアダンパーの伸長方向の他方の端部が、前記固定部に固定されており、または、壁面へ固定できる構造となっており、
前記制動機構が、少なくともエアダンパーにより構成された請求項３の浄水器用フィルタカートリッジ保持器具。
【請求項６】
ピニオンを有し、
前記ピニオンが、前記固定部に固定されており、または、壁面に固定され得るものであり、
前記浄水器用フィルタカートリッジ接続部が、スライド方向に沿ったラックを有し、
前記ピニオンと前記ラックとが係合されており、
前記制動機構が、少なくとも前記ラックと前記ピニオンとにより構成された請求項３の浄水器用フィルタカートリッジ保持器具。
【請求項７】
前記固定部が、スライドガイドを有し、
前記浄水器用フィルタカートリッジ接続部がスライダーを有し、
前記スライダーが、前記固定部に対し前記スライドガイドに沿ってスライド可能となるように前記スライドガイドに係合された請求項１〜９のいずれかの浄水器用フィルタカートリッジ保持器具。
【請求項８】
前記スライドガイドが、スライド方向を長手方向とする２つの棒状レールを有し、
前記スライダーが、前記固定部に対し前記２つの棒状レールに沿ってスライド可能となるように前記２つの棒状レールに係合された請求項１０の浄水器用フィルタカートリッジ保持器具。
【請求項９】
前記固定部が、その固定部に対する前記浄水器用フィルタカートリッジ接続部のスライド可能範囲を規制する第１の停止機構および第２の停止機構を備え、
前記浄水器用フィルタカートリッジ接続部が可動部材を備え、
前記可動部材が前記第２の停止機構と接触した状態で、前記フィルタカートリッジ接続部が前記固定部に対して回動可能であり、
前記固定部が、前記フィルタカートリッジ接続部の前記固定部に対する回動を制限する回動制限機構を備える請求項１の浄水器用フィルタカートリッジ保持器具。
【請求項１０】
前記固定部が、キッチンの内部の側壁面またはキッチンの天板の裏側に設置可能である請求項１〜９のいずれかの浄水器用フィルタカートリッジ保持器具。
【請求項１１】
前記側壁面が、キッチンシンクの側面に対向する側面パネルの内側面である請求項１０の浄水器用フィルタカートリッジ保持器具。
【請求項１２】
スライド方向が、上下方向となるように請求項１〜１１のいずれかの浄水器用フィルタカートリッジ保持器具が取り付けられたキッチン。
【請求項１３】
請求項１〜１１のいずれかの浄水器用フィルタカートリッジ保持器具の前記浄水器用フィルタカートリッジ接続部に浄水器用フィルタカートリッジが着脱可能に取り付けられた浄水器。
【発明の詳細な説明】
【技術分野】
【０００１】
本発明は、浄水器用フィルタカートリッジ保持器具および上記の浄水器用フィルタカートリッジ保持器具に浄水器用フィルタカートリッジを着脱可能に取り付けた水道水を浄化する浄水器に関し、さらに詳しくは、キッチン内部の空間に設置するアンダーシンク型浄水器に関する。
【背景技術】
【０００２】
従来、水道水を浄化する浄水器としては、水道水栓の吐出口に直結する蛇口直結型浄水器、キッチンの上に置いて使用する据置型浄水器、キッチンの内部に置いて使用するアンダーシンク型（またはビルトイン型）浄水器などが知られている。いずれも浄水器用フィルタカートリッジに充填した濾材は処理できる総濾過水量が限られているため、使用者は、浄水器用フィルタカートリッジを定期的に交換しながら浄水器を継続使用する。
【０００３】
アンダーシンク型浄水器は、蛇口直結型浄水器や据置型浄水器に比べて大型であり、処理できる総濾過水量も大きいため長期間使用できる。キッチンの水栓やシンク近傍に浄水器を置かないので、作業の邪魔にならない。
【０００４】
アンダーシンク型浄水器としては、例えば特許文献１のように、浄水器用フィルタカートリッジをキッチンシンク下方の収納空間の底面に置き、原水供給用ホースと浄水吐出用ホースとで水栓に接続して使用するものが知られている。
【０００５】
また、特許文献１のような配置は、キッチン下方の収納空間が減少するし、シンクの下方空間に引き出しを設けた近年主流のキッチンにおいては無理があるなどの問題から、特許文献２のように、キッチンシンク側面とキッチン側面パネル間の空間に、浄水器を設置することも提案されている。
【先行技術文献】
【特許文献】
【０００６】
【特許文献１】特開２００７−２７５８１４号公報
【特許文献２】特開２００６−１６９７８４号公報
【発明の概要】
【発明が解決しようとする課題】
【０００７】
しかしながら、特許文献２に記載の構成では、キッチンの天板部の下部に浄水器を固定しているので、浄水器用フィルタカートリッジの交換に際しては、キッチン下方の収納空間に潜り込んで行う必要があり、やりづらく手間がかかるという問題がある。
【０００８】
本発明は、上述のような問題点に鑑み、キッチン内部の空間に設置しても、キッチン下方の収納空間を減少することがなく、浄水器用フィルタカートリッジの交換がしやすく、浄水器用フィルタカートリッジの交換に手間がかからない浄水器用フィルタカートリッジ保持器具および浄水器を提供することにある。
【課題を解決するための手段】
【０００９】
前記課題を解決するため、本発明の浄水器用フィルタカートリッジ保持器具は下記の構成から成る。すなわち、
（１）  原水入口管と浄水出口管とを備え、かつ、浄水器用フィルタカートリッジを着脱可能に装着し得る浄水器用フィルタカートリッジ接続部と、壁面に固定し得る固定部とを有し、前記浄水器用フィルタカートリッジ接続部が、前記固定部に対してスライド可能となるように前記固定部に取り付けられた浄水器用フィルタカートリッジ保持器具である。
【００１０】
（２）前記固定部に対する前記浄水器用フィルタカートリッジ接続部のスライド可能範囲を規制する停止機構および前記固定部に対する前記浄水器用フィルタカートリッジ接続部の位置を保持する位置保持機構を有する（１）の浄水器用フィルタカートリッジ保持器具であることが好ましい。  （３）前記固定部に対する前記浄水器用フィルタカートリッジ接続部のスライド速度を規制する制動機構を有する（１）または（２）の浄水器用フィルタカートリッジ保持器具であることが好ましい。
【００１１】
（４）前記浄水器用フィルタカートリッジ接続部が、弾性部材を備え、前記固定部が、スライド方向に沿った複数の凹部および／または凸部を備え前記弾性部材と前記複数の凹部および／または凸部とが係合されており、前記制動機構が、少なくとも前記弾性部材と前記複数の凹部および／または凸部とにより構成された（３）の浄水器用フィルタカートリッジ保持器具であることが好ましい。
【００１２】
（５）エアダンパーを有し、前記エアダンパーの伸長方向の一方の端部が、前記浄水器用フィルタカートリッジ接続部に固定され、前記エアダンパーの伸長方向の他方の端部が、前記固定部に固定されており、または、壁面へ固定できる構造となっており、前記制動機構が、少なくともエアダンパーにより構成された（３）の浄水器用フィルタカートリッジ保持器具であることが好ましい。
【００１３】
（６）ピニオンを有し、前記ピニオンが、前記固定部に固定されており、または、壁面に固定され得るものであり、前記浄水器用フィルタカートリッジ接続部が、スライド方向に沿ったラックを有し、前記ピニオンと前記ラックとが係合されており、前記制動機構が、少なくとも前記ラックと前記ピニオンとにより構成された（３）の浄水器用フィルタカートリッジ保持器具であることが好ましい。
【００１４】
（７）前記固定部が、スライドガイドを有し、前記浄水器用フィルタカートリッジ接続部がスライダーを有し、前記スライダーが、前記固定部に対し前記スライドガイドに沿ってスライド可能となるように前記スライドガイドに係合された（１）〜（６）のいずれかの浄水器用フィルタカートリッジ保持器具であることが好ましい。
【００１５】
（８）前記スライドガイドが、スライド方向を長手方向とする２つの棒状レールを有し、前記スライダーが、前記固定部に対し前記２つの棒状レールに沿ってスライド可能となるように前記２つの棒状レールに係合された（７）の浄水器用フィルタカートリッジ保持器具であることが好ましい。
【００１６】
（９）前記固定部が、その固定部に対する前記浄水器用フィルタカートリッジ接続部のスライド可能範囲を規制する第１の停止機構および第２の停止機構を備え、前記浄水器用フィルタカートリッジ接続部が可動部材を備え、前記可動部材が前記第２の停止機構と接触した状態で、前記フィルタカートリッジ接続部が前記固定部に対して回動可能であり、前記固定部が、前記フィルタカートリッジ接続部の前記固定部に対する回動を制限する回動制限機構を備える（１）の浄水器用フィルタカートリッジ保持器具であることが好ましい。
【００１７】
（１０）前記固定部が、キッチンの内部の側壁面またはキッチンの天板の裏側に設置可能である（１）〜（９）のいずれかの浄水器用フィルタカートリッジ保持器具であることが好ましい。
【００１８】
（１１）前記側壁面が、キッチンシンクの側面に対向する側面パネルの内側面である（１０）の浄水器用フィルタカートリッジ保持器具であることが好ましい。
【００１９】
（１２）スライド方向が、上下方向となるように（１）〜（１１）のいずれかの浄水器用フィルタカートリッジ保持器具が取り付けられたキッチンであることが好ましい。
【００２０】
（１３）（１）〜（１１）のいずれかの浄水器用フィルタカートリッジ保持器具の前記浄水器用フィルタカートリッジ接続部に浄水器用フィルタカートリッジが着脱可能に取り付けられた浄水器であることが好ましい。
【発明の効果】
【００２１】
本発明は、上記の構成により以下の優れた効果を奏することができる。すなわち、
上記(１)の構成により、浄水器用フィルタカートリッジ保持器具に浄水器用フィルタカートリッジを取り付けた状態で、浄水器用フィルタカートリッジの位置を、収納・使用する場合の位置と、交換する場合の位置とに移動して変えることができ、浄水器用フィルタカートリッジの位置を、収納・使用時および交換時のそれぞれの場合において使用者にとって便利なものにすることができるという効果がある。特に浄水器用フィルタカートリッジ交換時に、スライド移動によって、浄水器用フィルタカートリッジを、見やすくアクセスしやすい位置に持って来ることができるので、容易に交換できる。
【００２２】
また、上記(２)の構成により、浄水器用フィルタカートリッジ接続部がスライドし過ぎて固定部から外れて、脱落してしまうことを防止できる。また、浄水器用フィルタカートリッジ接続部の位置がスライドの両端の停止位置で保持できるので、浄水器用フィルタカートリッジを収納しやすい位置に保持しておくことができるし、浄水器用フィルタカートリッジを交換する際には、保持された交換位置で安定して交換を行うことができる。
【００２３】
また、上記(３)の構成により、浄水器用フィルタカートリッジ接続部のスライド移動は急速には行われず、スピードが制御され、制動された動きとなるので、使用者は浄水器用フィルタカートリッジ接続部と浄水器用フィルタカートリッジのスライド移動を、確認しつつ、ゆっくりと安全に行うことができる。
【００２４】
また、上記(４)の構成により、スライド方向に沿って、弾性部材が、１つ１つカチカチと複数の凹凸部に係合しつつ動くので、安定的で確実なスライド移動が実現される。
【００２５】
また、上記(５)の構成により、エアダンパーの圧縮方向のスライドの際には、制動が働き、安定的なスライド移動が実現される。さらに、上記(５)の構成により、エアダンパーの伸長方向のスライドの際には、エアダンパー内に封入されたガスの圧力が浄水器用フィルタカートリッジ接続部のエアダンパーの伸長方向へのスライド移動を付勢するので、過大な労力を必要とせず、容易なスライド移動が可能となる。
【００２６】
また、上記(６)の構成により、ラック＆ピニオン機構によって、制動の効いた安定してスムーズなスライド移動が可能である。
【００２７】
また、上記(７)の構成により、スライドは、スライダーと、スライド方向の往復動に対するガイドを行うスライドガイドとの係合、摺動によるスライド機構によるものなので、スライド移動しやすくスムーズで安定した動きを実現できる。
【００２８】
また、上記(８)の構成により、スライドガイドは棒状レールであり、構造がシンプルで製造しやすいし、直線的な往復動のスライドを行うことができる。また棒状レールが２つあるので、スライダーがしっかりと支持され、スライド移動ががたつかず、安定した動きとなる効果がある。
【００２９】
また、上記(９)の構成により、浄水器用カートリッジ交換時に、回動移動によって、キッチン上部から下方向に浄水器用カートリッジを移動することができ、手元で交換できる。さらに、この構成では、回動停止位置で浄水器用カートリッジを保持できるので、浄水器用カートリッジを交換する際は、保持された交換位置で安定して交換できる。
【００３０】
また、上記(１０)の構成により、キッチン下方の収納空間を減少することがないし、浄水器用フィルタカートリッジ交換時に、スライド移動によって、浄水器用フィルタカートリッジを、見やすくアクセスしやすい位置に持って来ることができるので、容易に交換でき、交換に手間がかからない。処理できる総濾過水量が大きい浄水器を長期間使用できる。
【００３１】
また、上記(１１)の構成により、キッチン下方の収納空間を減少することがなく、キッチンの引き出しに収納した物が浄水器に当たって引き出しが閉まらなくなるような問題も生じない。
【００３２】
また、上記(１２)の構成により、浄水器は、通常はデッドスペースになりがちなキッチンのシンク側面とそれに対向する側面パネルとの間の空間に収納されることになり、デッドスペースが有効に活用される。従って特に、キッチン下方の収納空間を減少することがなく、キッチンの引き出しに収納した物が浄水器に当たって引き出しが閉まらなくなるような問題も生じない。
【００３３】
また、上記(１３)の構成により、浄水器用フィルタカートリッジの交換時には、下方へのスライドにより、キッチン下方の引き出しを開けて、すぐ見やすく、簡単に手を入れてアクセスしやすい交換作業を容易に行える位置に、浄水器用フィルタカートリッジを移動させることができる。従って特に、浄水器用フィルタカートリッジの交換が容易で、交換に手間がかからない。
【００３４】
また、上記（１４）の構成により、浄水器用フィルタカートリッジの位置を、収納・使用する場合の位置と、交換する場合の位置とに移動して変えることができ、浄水器用フィルタカートリッジの位置を、収納・使用時および交換時のそれぞれの場合において使用者にとって便利なものにすることができるという効果がある。
【図面の簡単な説明】
【００３５】
【図１】本発明の第１の実施形態に係る浄水器用フィルタカートリッジ保持器具に浄水器用フィルタカートリッジが着脱可能に取り付けられた浄水器の斜視図である。
【図２】図１の浄水器に用いる浄水器用フィルタカートリッジの斜視図である。
【図３】図１の浄水器に用いる浄水器用フィルタカートリッジの断面図である。
【図４】図１の浄水器に用いる浄水器用フィルタカートリッジが有する濾材ユニットの断面図である。
【図５】キッチンシンクの側面に対向する側面パネルの内側面に図１の浄水器が設置されたキッチンの一部の斜視図である。
【図６】本発明の第２の実施形態に係る浄水器用フィルタカートリッジ保持器具に浄水器用フィルタカートリッジが着脱可能に取り付けられた浄水器の斜視図である。
【図７】本発明の第２の実施形態に係る浄水器用フィルタカートリッジ保持器具の斜視図である。
【図８】本発明の第２の実施形態に係る浄水器用フィルタカートリッジ保持器具に用いるスライドガイド部分の拡大矢視図である。
【図９】本発明の第３の実施形態に係る浄水器用フィルタカートリッジ保持器具に浄水器用フィルタカートリッジが着脱可能に取り付けられた浄水器の正面の斜視図である。
【図１０】本発明の第３の実施形態に係る浄水器用フィルタカートリッジ保持器具に浄水器用フィルタカートリッジが着脱可能に取り付けられた浄水器の背面の斜視図である。
【図１１】本発明の第４の実施形態に係る浄水器フィルタカートリッジ保持器具に浄水器用フィルタカートリッジが着脱可能に取り付けられた浄水器の斜視図である。
【図１２】本発明の第４の実施形態に係る浄水器フィルタカートリッジ保持器具に浄水器用フィルタカートリッジが着脱可能に取り付けられた浄水器の斜視図である。
【図１３】図１１に示す浄水器が備える固定部の斜視図である。
【図１４】可動部材４１０が第２の停止機構と接触しておりフィルタカートリッジ接続部が前記固定部に対して回動可能となっている状態の浄水器の斜視図である。
【図１５】本発明の第４の実施形態に係る浄水器フィルタカートリッジ保持器具を備える浄水器であるが、図１１や図１６に示す浄水器の形態とは異なる形態の浄水器の斜視図である。
【図１６】本発明の第４の実施形態に係る浄水器フィルタカートリッジ保持器具を備える浄水器であるが、図１１に示す浄水器の形態とは異なる形態の浄水器の斜視図である。
【発明を実施するための形態】
【００３６】
本発明の浄水器用フィルタカートリッジ保持器具は、原水入口管と浄水出口管とを備え、かつ、浄水器用フィルタカートリッジを着脱可能に装着し得る浄水器用フィルタカートリッジ接続部と、壁面に固定し得る固定部を有し、前記浄水器用フィルタカートリッジ接続部が、前記固定部に対してスライド可能となるように前記固定部に取り付けられたものである。
【００３７】
以下、本発明の実施形態例を、図面を参照しながら説明する。以下の説明で、使用者がキッチンに面して使用する状態で立った時、キッチンに関する面や方向について、キッチンの使用者側を前面（または前方）、キッチンの使用者から離れた奥側を背面（または後方）、キッチンの使用者からみて左側を左側面（または左側方）、および、キッチンの使用者からみて右側を右側面（または右側方）と定義することとする。
【００３８】
図１は、本発明の第１の実施形態に係る浄水器フィルタカートリッジ保持器具に浄水器用フィルタカートリッジが着脱可能に取り付けられた浄水器の斜視図である。
【００３９】
図１に示すように、この浄水器１は、濾材を収納した浄水器用フィルタカートリッジ２と、原水入口管１１と浄水出口管１２とを備え、浄水器用フィルタカートリッジ２が着脱可能な浄水器用フィルタカートリッジ接続部３と、浄水器用フィルタカートリッジ接続部３が取り付けられ、壁面に固定可能な固定部４とから構成されている。図１において、浄水器用フィルタカートリッジ接続部３は浄水器用フィルタカートリッジ２と一体的に、固定部４に対して上下方向にスライド可能となっている。
【００４０】
このように浄水器用フィルタカートリッジ接続部３と浄水器用フィルタカートリッジ２とが一体的にスライド可能であるので、浄水器用フィルタカートリッジ２の位置を、収納・使用する場合の位置と、交換する場合の位置とに移動して変えることができ、浄水器用フィルタカートリッジ２の位置をそれぞれの場合において使用者にとって便利なものにすることができるという効果がある。特に浄水器用フィルタカートリッジ交換時に、スライド移動によって、浄水器用フィルタカートリッジを、使用者が見やすくアクセスしやすい位置に持って来ることができるので、容易に交換でき、交換に手間がかからない。
【００４１】
浄水器用フィルタカートリッジ接続部３は、原水流路と浄水流路とを有する接続部本体１５と、接続部本体１５を固定するベース１６とから成る。接続部本体１５はフィルタ挿入案内筒１７を有している。
【００４２】
接続部本体１５は、内筒（図示せず）と外筒２２とを有する有底・二重円筒形であり、内筒の内側の空間が原水入口管１１に、内筒と外筒２２の間の空間が浄水吐出管１２に連通している。内筒の内側にはコイルスプリング、Ｏリング付きコマ（いずれも図示せず）から成る弁が設けられ、浄水器用フィルタカートリッジ２が取り付けられると弁が開き、取り外されると弁が閉じるようになっている。外筒２２の内周側には、後述のバヨネット機構の一部である一対の部分拡径部２３、２４（図示せず）が設けられ、浄水器用フィルタカートリッジ２に設けられた一対の凸部９１、９２が通過できるようになっている。
【００４３】
接続部本体１５は、ステンレス、黄銅、青銅などの金属でも、ＡＢＳ樹脂、ポリカーボネート、ポリスチレン、ポリプロピレンなどの樹脂でも良いが、外観の良いＡＢＳ樹脂を射出成形で製造するのが、外観および製造コストに関してメリットがある。
【００４４】
フィルタ挿入案内筒１７は円筒形である。浄水器用フィルタカートリッジ２を浄水器用フィルタカートリッジ接続部３に取り付ける際、浄水器用フィルタカートリッジ接続部３の中心軸に、外形が略円柱状の浄水器用フィルタカートリッジ２の中心軸を合わせやすくするためのものである。必ずしも円筒形でなくても良く、軽量化するために網状円筒としても、半円筒としても、櫛状としても良い。この浄水器用フィルタカートリッジ挿入案内部１７が設けられているので、浄水器用フィルタカートリッジ２を交換する際、浄水器用フィルタカートリッジ２の先端が浄水器用フィルタカートリッジ接続部３の接続部本体１５に導かれるので、容易に浄水器用フィルタカートリッジ２を交換することができる。
【００４５】
ベース１６は長方形の平板状で、接続部本体１５はボルトでベース１６に固定されている。ベース１６の材料は、前述の接続部本体１５の材料と同様であり、射出成形用のＡＢＳ樹脂などが好適に用いられる。
【００４６】
ベース１６の上下方向（鉛直方向）に沿う両辺部分は、後述する固定部４の２つの棒状レール３１の縦溝３２に係合して取り付いており、ベース１６は、スライドガイドに対し上下方向にスライド可能なスライダーとして機能している。なお、ベースは長方形に限らず、スライドガイドに係合しスライドする部分と浄水器用フィルタカートリッジ接続部３が取り付けられる部分とを有する形状であればよく、例えばＴ字型の板であって、Ｔ字の両端がスライドガイドに係合しスライドする形態でもよい。
【００４７】
図１の実施形態ではベース１６がスライダーであるが、浄水器用フィルタカートリッジ接続部がベースに相当するものを備えず、浄水器用フィルタカートリッジ接続部の接続部本体がスライドガイドに係合し浄水器用フィルタカートリッジ接続部を固定部に対しスライド可能なもとする凸を、一体的に備える形態であってもよい。この場合は接続部本体がスライダーとなる。また、浄水器用フィルタカートリッジ接続部のベースに別部材として、スライドガイドに係合し浄水器用フィルタカートリッジ接続部を固定部に対しスライド可能なもとする凸部材が、取り付けてある形態であってもよい。この場合はその凸部材がスライダーとなる。
【００４８】
長方形のベース１６のコーナーの１カ所には、板バネ固定ブロック３３が設けられ、板バネ固定ブロック３３には、凸部を有する弾性部材である板バネ３４が取り付けられている。この板バネ３４は後述するように、浄水器用フィルタカートリッジ接続部３のスライドを制動させる制動機構の構成要素の１つである。なお、弾性部材は板バネ３４に限らず、例えば、コイルバネの先端に凸部となる部材が取り付けられる形態でもよい。
【００４９】
また、ベース１６には、ベース１６をスライドさせるために把持するつまみ３５が設けられている。つまみ３５は、接続部本体１５に設けられる形態であってもよい。つまみや取っ手が設けられていると、使用者は、つまみや取っ手を把持しスライドを駆動することができ、スライド移動を容易に行うことができるため、好ましい。
【００５０】
図１の実施態様では、浄水器用フィルタカートリッジ２の長手方向に平行である浄水器用フィルタカートリッジ２の中心軸（以下、浄水器用フィルタカートリッジの中心軸とすることがある。）が、スライドの方向と垂直であり、かつ、固定部４の固定される壁面とも平行である配置となっているが、この配置に限らず、固定部が固定される壁面の位置とスライドすべき方向に応じて、例えば、浄水器用フィルタカートリッジの中心軸が、スライドの方向と平行であったり斜めであったり、また、固定部が固定される壁面に垂直であってもよい。このような配置を行い易くするために、ベースが１つの平面を有する平板状でなく、２つの平面を持つＬ字状に折れ曲がった板状、すなわちアングル形状などであってもよい。
【００５１】
次に、固定部４について説明する。固定部４は、スライド方向を長手方向とする２つの棒状レール３１を有し、その棒状レール３１にはスライド方向に沿った縦溝３２が設けられている。上記の２つの棒状レール３１は、それらの棒状レール３１が有する縦溝３２が互いに対面するように壁面に固定されている。この縦溝３２に前述のベース１６の上下方向に沿う両辺部分が係合し、両者が摺動することにより、ベース１６のスライド移動がなされる。ここで、棒状レール３１は、ベース１６のスライド方向の往復動に対するガイドを行うスライドガイドとして機能している。
【００５２】
このようにスライダーとスライド方向の往復動に対するガイドを行うスライドガイドとの係合、および、摺動によるスライド機構なので、スライド移動しやすくスムーズで安定した動きを実現できる。
【００５３】
そして、スライドガイドとして棒状レール３１が採用されているので、構造はシンプルで製造しやすいし、直線的な往復動のスライドを行うことができる。
【００５４】
スライドガイドが棒状レール３１でなく、緩やかに曲がったスライドレールであれば、曲線的なスライド移動を行わせることもできる。
【００５５】
スライドガイドは１つでも機能は果たせるが、２つあると、スライダーがしっかりと支持され、スライド移動ががたつかず、安定した動きとなる効果がある。
【００５６】
また、棒状レール３１の端部には、固定足３６が設けられ、固定足３６がボルトにより壁面に締結されることで、棒状レール３１は、壁面に固定されている。
【００５７】
また、棒状レール３１の縦溝３２の両端は閉じており、スライドの両端位置でベース１６の動きを棒状レール３１に対して停止させる停止機構としての、上端ストッパ３７と下端ストッパ３８を構成している。この停止機構により、ベース１６が棒状レール３１から外れて、脱落することを防止している。なお、上記の停止機構は、必ずしも上端ストッパおよび下端ストッパである必要はなく、ベースのスライド移動を可能とする所望の範囲に応じてスライドガイド上の所望の位置にストッパを設けたものであってもよい。
【００５８】
また、棒状レール３１には、スライド方向に沿った複数の凹凸部（山と谷）を持った板バネガイド３９が取り付けられている。この板バネガイド３９が有する複数の凹部に、前述の板バネ３４の凸部が係合するように構成されており、ベース１６をスライド移動させると、板バネ３４が弾性変形し、板バネ３４の凸部は、スライド方向に沿って、１つ１つカチカチと、板バネガイド３９の山（凸）を乗り越え、谷（凹）に落ち込みつつ動くので、安定的で確実なスライド移動が実現する。この板バネガイド３９と板バネ３４の作用により、ベース１６のスライド移動は急速には行われず、スライド移動のスピードが制御され、制動された動きとなるのであり、板バネガイド３９と板バネ３４とは、ベース１６のスライド移動の制動機構として機能している。この制動機構により、使用者はベース１６および浄水器用フィルタカートリッジ２のスライド移動を、確認しつつ、ゆっくりと安全に行うことができる。
【００５９】
また、複数の凹凸部（山と谷）を持った板バネガイド３９とそれに係合する板バネ３４の凸部とは、ベース１６および浄水器用フィルタカートリッジ２の位置の保持機構の機能も果たしており、ベース１６および浄水器用フィルタカートリッジ２は、手を離しても、上記保持機構により所望の位置に止まったまま保持される。この位置保持機構により、ベース１６および浄水器用フィルタカートリッジ２の位置をスライドガイドの両端に設けられた停止機構の間の所望の位置で保持できるので、浄水器用フィルタカートリッジの使用・収納時には、浄水器用フィルタカートリッジ２を収納しやすい位置に保持しておくことができる。一方で、浄水器用フィルタカートリッジ２を交換する際には、使用者が浄水器用フィルタカートリッジの交換作業を行いやすい位置に保持しておくことができる。
【００６０】
また、この制動機構と位置保持機構は、特にスライド方向が上下方向の時に、重要な効果をさらに奏し、下方へのスライド移動では、ベース１６および浄水器用フィルタカートリッジ２が急に落下してくるのを抑制することができ、かつ、上方へのスライド移動では、ベース１６および浄水器用フィルタカートリッジ２の荷重を、制動力と保持力で支えてくれるので、過大な労力を必要とせず、容易なスライド移動が可能となる。
【００６１】
ここで、図１の板バネガイド３９の複数の凹凸部は、連続的な凹凸となっているが、離散的な凹凸でもよい。また、弾性部材に係合する複数の凹部または凸部のみの構成であってもよい。
【００６２】
固定部４の棒状レール３１の材料は、前述の接続部本体１５の材料と同様であり、射出成形用のＡＢＳ樹脂などが好適に用いられる。
【００６３】
次に浄水器用フィルタカートリッジ２について説明する。図２は、図1の浄水器に用いる浄水器用フィルタカートリッジの斜視図である。図３は、図１の浄水器に用いる浄水器用フィルタカートリッジの断面図である。また、図４は、図１の浄水器に用いる浄水器用フィルタカートリッジが有する濾材ユニットの断面図である。
【００６４】
ここで、浄水器用フィルタカートリッジ２は、フィルタ本体８１と、フィルタ上蓋８２と、濾材ユニット８３とから構成されている。
【００６５】
フィルタ本体８１は有底円筒形であり、濾材ユニット８３が挿入された後にフィルタ上蓋８２が固定される。フィルタ上蓋８２の固定は溶着が好ましい。溶着であれば、Ｏリングなどのシール部材が不要であり、製造コストが安くなる。超音波溶着、回転溶着、振動溶着など特に限定されないが、回転溶着であれば、溶着面積を広くすることが可能であり、浄水器用フィルタカートリッジとしての耐圧性が高くなるため最も好ましい。しかし製造工程に溶着機が無ければ、ネジとＯリングを用いた締結でも差し支えない。
【００６６】
フィルタ本体８１の底部には、後述の入口キャップ１０１の中心軸穴１２０が係合する中心軸８４と、放射上の補強リブ８５が設けられている。
【００６７】
フィルタ上蓋８２は円錐形で、先端には原水受入口８６が設けられ、外周には先端付近から順に、小径Ｏリング８７、浄水吐出口８８、大径Ｏリング８９、バヨネット機構としての一対の凸部９１、９２が設けられている。
【００６８】
フィルタ上蓋８２の拡径側は開口していて、内部は二重円筒形であり、内側円筒９３には後述の濾材ユニット８３の接続キャップ１０４が挿入される。内側円筒９３の内周側は浄水吐出口８８に連通し、内側円筒９３の外周側は原水受入口８６に連通している。
【００６９】
濾材ユニット８３は、上流側から、入口キャップ１０１、円筒状の吸着材１０２、出口キャップ１０３、接続キャップ１０４の順に連結されていて、出口キャップ１０３には中空糸膜束１０５が注型材１０６により封止固定されている。
【００７０】
吸着材１０２は円筒状で、繊維状活性炭を主成分とする吸着材成形体１１１と、内径側芯材１１２と、外径側不織布１１３とから成る。吸着材成形体１１１は、比表面積や細孔径分布が異なる複数の繊維状活性炭を所定の割合で混合し、さらに鉛イオンを選択的に取り込むイオン交換繊維と、熱融着繊維を添加したものである。これらをシート化して、内径側芯材１１２に一定張力で巻き上げる。所定の外径に達したら、加熱処理する。熱融着繊維は芯鞘構造で、芯は融点が高く、鞘は融点が低く、この加熱処理によって鞘のみが溶けて溶着する。この溶着によって円筒形が保たれものに外径側不織布１１３を巻き、所定の長さに断裁する。
【００７１】
比表面積や細孔径分布が異なる複数の繊維状活性炭の混合率を変えることで、複数の除去対象物質のろ過能力をバランスさせて、総合的に最もろ過能力が高い吸着材成形体を作り出すことができる。これによって使用者が長期間使用できるカートリッジを提供できる。また、軸に巻き上げるときの張力を制御すれば、吸着材成形体の密度を変えることができる。圧力損失が大き過ぎず、ろ過能力が低過ぎない使いやすいカートリッジを提供できる。
【００７２】
ここで繊維状活性炭と鉛吸着材と熱融着繊維とから成る成形体は、湿式成形法で成形しても良い。繊維状活性炭だけでなく粒状活性炭を混合しても良い。粒状活性炭だけを使用することもできる。また繊維状ではない熱融着物を使用しても良い。
【００７３】
鉛除去材として、粒状または粉状のアルミノケイ酸塩、チタンケイ酸塩、酸化チタンを使用すれば、効率良く鉛イオンを除去することができる。
【００７４】
入口キャップ１０１は円盤状であり、活性炭と連結する面には円筒状のリブ１２１、１２２と、同心円上の溝１２３が形成されている。リブ１２１、１２２は厚さが０．３〜１．５ｍｍ、高さが１〜４ｍｍであり、円筒状の吸着材１０２と中心軸を合わせる役目を果たしている。
【００７５】
入口キャップ１０１と円筒状の吸着材１０２との接着は、加熱溶融させた熱可塑性樹脂を塗り付けた後に冷却固化させるホットメルト接着式でも、空気中の湿気と反応させて硬化させる一液型シリコーンゴム接着式でも良い。２つの溝１２３は幅１〜２ｍｍ、深さ０．５〜１ｍｍであり、接着剤１２４が十分に入り込んで硬化するので、接着剤１２４と入口キャップ１０１とは高い接着力を有する。入口キャップ１０１の材料としては、接着剤との親和性が良い非晶性樹脂が好ましく、安全性を加味するとＡＢＳ樹脂やポリスチレンが好ましい。
【００７６】
入口キャップ１０１の、活性炭と連結する面の反対側には、前述のフィルタ本体８１の底部の中心軸８４が回転可能に係合する中心軸穴１２０が設けられている。
【００７７】
出口キャップ１０３は中央に開口１２５を有する円盤状で、円筒状の吸着材１０２と連結する面には円筒状のリブ１２６、１２７が立設されている。リブ１２６はリブ１２１と同様、厚さが０．３〜１．５ｍｍ、高さが１〜４ｍｍであり、円筒状の吸着材１０２と中心軸を合わせる役目を果たしている。リブ１２７の外径は、円筒状の吸着材１０２の内径より少し小さくなっている。リブ１２７は円筒状の吸着材１０２との中心軸を合わせるだけでなく、接着剤１２８が円筒状の吸着材１０２の内径側にはみ出して固まるのを防ぐ役目も果たしている。
【００７８】
出口キャップ１０３の円筒状の吸着材１０２と連結する面には、入口キャップ１０１と同様、同心円上の溝１２９が形成されている。溝１２９は幅１〜２ｍｍ、深さ０．５〜１ｍｍであり、接着剤１２８が十分に入り込んで硬化するので、接着剤１２８と出口キャップ１０３とは高い接着力を有する。
【００７９】
出口キャップ１０３の材料としては、入口キャップ１０１と同様、接着剤との親和性が良い非晶性樹脂が好ましく、安全性を加味するとＡＢＳ樹脂やポリスチレンが好ましい。
【００８０】
出口キャップ１０３の中央の開口１２５には、中空糸膜を束ねて逆Ｕ字状に折り曲げた中空糸膜束１０５が注型材１０６によって封止固定されている。各中空糸膜間および中空糸膜と出口キャップ１０３との間に注型材１０６を充填して、それが固化することによって固定される。出口キャップ１０３と接続キャップ１０４を連結する前に、注型材を一部切断除去することにより、中空糸膜は、接続キャップ１０４に向かって開口している。出口キャップ１０３の内周面の一部にはシボ加工を施してあり、注型材１０６の出口キャップ１０３からの剥離を防いでいる。通水時には、注型材１０６に水圧による荷重が加わるが、シボの凹凸に沿って注型材１０６に凹凸が形成されているので、凹凸同士が引っかかることから、注型材１０６が出口キャップ１０３から剥離・脱落することはない。
【００８１】
中空糸膜束１０５としては、親水化したポリスルホン中空糸膜を用いている。ポリスルホンは生物学的特性、耐熱性、耐薬品性等に優れていて、浄水器用途として好ましい。ポリスルホン以外に、ポリアクリルニトリル、ポリフェニレンスルホン、ポリエーテルスルホン、ポリエチレン、ポリプロピレンの中空糸膜を用いても差し支えない。材料が異なる複数種類の中空糸膜を組み合わせても良い。疎水性のポリエチレンやポリプロピレンの中空糸膜を入れれば、水に混入した空気を効率良く排出することができる。中空糸膜の孔径は０．１〜０．３μｍであり、水道水中の濁質を捕捉するのに最も適している。中空糸膜の外径はφ３００〜５００μｍ、内径はφ２００〜３４０μｍ、膜厚は５０〜１００μｍであり、十分な強度を有している。製造におけるＵ字状に折り曲げる工程や、出口キャップ１０３に押し込む工程で切れることはない。
【００８２】
中空糸膜束１０５の中空糸膜のみの断面積を、出口キャップ１０３の開口１２５の断面積の４５〜５５％としているので、高い濁りろ過能力を有しており、長期間使用することができる。４５％を下回ると中空糸膜の膜面積が小さくなり、また５５％を上回ると密集した中空糸膜束の内部まで濁質が回り切らなくなり、いずれの場合も濁りろ過能力が低下して長期間使用できなくなる。中空糸膜の外径がφ３００〜５００μｍと、強度を有しながらも十分に細いので、小さなケーシングの中に十分に大きな膜面積を確保できている。これも高い濁りろ過能力を発揮する要因となっている。
【００８３】
注型材（ポッティング材）１０６としては、流動性を有する主剤と硬化剤を混合して硬化させる二液混合型で、ポリウレタンやエポキシ樹脂などを適宜用いることができる。それらを遠心法や静置法などによって固化させれば良い。
【００８４】
出口キャップ１０３の、注型材１０６によって封止固定された端部の外周側には、後述の接続キャップ１０４と係合する鍔部１３０が設けられている。
【００８５】
接続キャップ１０４は、大筒１３１と、小筒１３２を有し、大筒１３１の一端の内周側には出口キャップ１０３との第１接続部１３３を有し、小筒１３２の一端の外周側にはフィルタ上蓋８２との第２接続部１３４を有している。第１接続部１３３の内周は、前述の出口キャップ１０３に設けた鍔部１３０の外周と、がたつきが無いように係合するようになっている。係合させた状態で、接続キャップ１０４側から超音波溶着機のホーンを当てて、加圧しながら振動エネルギーを与えることで、出口キャップ１０３と接続キャップ１０４を溶着させている。溶着方式としては、バッドジョイント方式、ステップジョイント方式、シェアジョイント方式、ビードジョイント方式など、いずれの方式でも良く、特に限定されない。出口キャップ１０３と接続キャップ１０４とは、超音波溶着ではなく、嵌合により連結させても良い。出口キャップ１０３と接続キャップ１０４との間にＯリングなどの弾性部材を介在させても差し支えない。
【００８６】
小筒１３２の第２接続部１３４の環状溝にはＯリング１３６が装着されている。接続キャップ１０４を、Ｏリング１３６を介してフィルタ上蓋８２と接続しているので、浄水と、原水（浄化していない水道水）とが混ざることがない。
【００８７】
出口キャップ１０３と接続キャップ１０４との間の空間に、粒状の抗菌材を３〜１５粒装填しても良い。抗菌材が直径１〜６ｍｍの粒状であれば、狭い空間でも装填可能でありながら、不織布やメッシュクロスで容易に流出防止ができる。浄水に抗菌材が混ざることは無い。抗菌材に、多孔質のリン酸カルシウムまたはゼオライトに銀を坦持させてものを用いれば、少量の銀イオンを持続力良く溶出させることができる。活性炭で残留塩素を分解除去すると浄水に細菌が繁殖しやすくなり、浄水吐出口から入り込んだ細菌が浄水器用カートリッジ１に到達する可能性があるが、銀イオンによって細菌の増殖を防ぐことができる。使用する不織布は、目付け量１０〜３００ｇ／ｍ２、厚さ０．０５〜５ｍｍが好ましい。材料としては、ポリエチレンテレフタレート、ポリプロピレン、ポリエチレンなどが安価で好ましい。
【００８８】
接続キャップ１０４の材料としては、出口キャップ１０３と超音波溶着にて連結する場合には、出口キャップと同じ材料を用いる。成形での寸法精度が高いＡＢＳ樹脂、ポリアセタール、ポリカーボネート、ポリスチレンが使用できる。出口キャップ１０３と嵌合により連結する場合は、比較的柔らかいポリエチレンあるいはポリプロピレンを用いる。ポリエチレンやポリプロピレンであれば、アンダーカット部分の金型の無理抜きが容易であり、金型製作費が安価となる。比較的柔らかいので、製造でのはめ込みが容易であり、生産性が向上する。
【００８９】
円筒状の吸着材１０２の構成部材である内径側芯材１１２の替わりにコイルスプリング（補強部材）を配設しても良い。補強部材がコイルスプリングであれば、円筒状活性炭の内周面への接触面積を小さくでき、活性炭全体の吸着能力が下がってカートリッジの寿命が短くなることがなく、吸着材全体をより効率的に利用できる。複数の開口にメッシュが貼り付けられているもののように、開口以外の格子部近傍の活性炭に水が流れにくくなって吸着能力が発揮できなくなることはない。
【００９０】
コイルスプリング（補強部材）の線径を０．３ｍｍ以上１．５ｍｍ以下とすれば、吸着材成形体１１１の外周側から内周側に圧力が加わったときに、コイルスプリング（補強部材）が吸着材成形体１１１をその内周側からしっかりと支持して、吸着材成形体１１１が陥没するのを防止することができる。しかもわずかな占有体積であるため、多くの濾材を詰め込むことに対してほとんど妨げにならない。線径が０．３ｍｍ未満であると、強度が不十分であるため、吸着材成形体１１１の内周側からしっかりと支持することができない。線径が１．５ｍｍを越えると、占有体積が大きくなり、カートリッジ内の空間を無駄にして、最大限に濾材を詰め込めなくなってしまう。
【００９１】
コイルスプリング（補強部材）のピッチを、吸着材成形体１１１の全長の４分の１以下とすれば、ピッチが十分に小さく、巻き数が十分に多いので、吸着材成形体１１１の外周側から内周側に圧力が加わったときに、吸着材成形体１１１の内周側からしっかりと支持して、吸着材成形体１１１が陥没するのを防止することができる。ピッチが、吸着材成形体１１１の全長の４分の１以上であると、巻き数が少なく、吸着材成形体１１１の内周側からしっかりと支持することができない。
【００９２】
コイルスプリング（補強部材）の密着長を、吸着材成形体１１１の全長の４分の１以下とすれば、吸着材成形体１１１の内周面への接触面積が小さいので、活性炭全体の吸着能力が下がってカートリッジの寿命が短くなることがなく、吸着材全体を効率的に利用できる。
【００９３】
コイルスプリング（補強部材）と吸着材成形体１１１との距離の平均を１ｍｍ以下とすれば、吸着材成形体１１１の外周側から内周側に圧力が加わったときに、吸着材成形体１１１が内周側に変形しても、吸着材成形体１１１が陥没する前に内周側からしっかりと保持して、吸着材成形体１１１の形状を維持することができる。
【００９４】
コイルスプリング（補強部材）の材料としては、ステンレスを用いる。ステンレスであるので、水に浸って錆びるのを防止することができる。また、樹脂材料よりも十分な強度を有するので、円筒状の吸着材の内周側からしっかりと保持することができ、しかも占有体積を小さくすることができるので、多くの濾材を詰め込むことに対してほとんど妨げにならない。
【００９５】
次に浄水器１の設置について説明する。本発明の浄水器１は設置場所を特に限定しないが、キッチンの内部に設置して使用するアンダーシンク型浄水器として用いれば、従来の課題を解決できて有効である。すなわち、本発明の浄水器をキッチンの内部の側壁面に設置することが好ましく、キッチンの内部の側壁面の上部に設置することがより好ましく、キッチンシンクの側面に対向する側面パネルの内側面に設置することがさらに好ましい。浄水器を上記のような場所に設置することで、キッチン下方の収納空間を減少することがなく、キッチンの引き出しに収納した物が浄水器１に当たって引き出しが閉まらなくなるような問題も生じない。浄水器用フィルタカートリッジ交換時に、スライド移動によって、浄水器用フィルタカートリッジを、見やすくアクセスしやすい位置に持って来ることができるので、容易に交換でき、交換に手間がかからない。さらに、アンダーシンク型浄水器であるので、濾材の量も大きくできて、処理できる総濾過水量が大きくて長期間使用できる。
【００９６】
また、キッチンの天板の裏側に浄水器を設置することも好ましく、上記と同様に従来の課題を解決できる。
【００９７】
図５は、キッチンシンクの側面に対向する側面パネルの内側面に本発明の第１の実施形態に係る浄水器フィルタカートリッジ保持器具に浄水器用フィルタカートリッジが着脱可能に取り付けられた浄水器が設置されたキッチンの一部の斜視図である。
【００９８】
浄水器用フィルタカートリッジ接続部３の原水供給口に接続した原水入口管１１と、浄水吐出口に接続した浄水出口管１２は、キッチン４１の浄水器用の水栓４２に接続されている。浄水器用の水栓４２のレバーを回すなどして開栓すると、浄水器用水栓に内蔵された弁機構から原水入口管１１に水道水が供給されるようになっている。浄水器１で浄化された浄水が浄水出口管１２から浄水器用の水栓４２に戻り、弁機構を通過せずに浄水器用の水栓４２の吐出口からそのまま吐出される。すなわち浄水器用の水栓４２に内蔵された弁機構より下流側に浄水器１が設けられ、止水時には浄水器１に水圧がかからないようになっている。いわゆるＩＩ形の浄水器である。しかしながら本発明の浄水器１はＩＩ形に限定されない。止水時に浄水器１に水圧がかかる、いわゆるＩ形の浄水器として使用しても良い。
【００９９】
浄水器１の固定部４としての棒状レール３１は、その固定足３６がボルトでキッチン４１のシンク４３側面に対向する側面パネル４４の内面に固定されている。固定方法は、その他タッピンネジ、両面テープ、接着剤などでもよいが、浄水器用フィルタカートリッジ２および配管が満水になったときの重量に十分に耐えられるよう、ネジやボルトを用いて確実に固定するのが良い。
【０１００】
図５の実施形態おいて、浄水器用フィルタカートリッジ接続部３および浄水器用フィルタカートリッジ２のスライド方向は上下方向であり、浄水器用フィルタカートリッジ２は、使用時には上方へスライドされて、浄水器用フィルタカートリッジ２は、通常はデッドスペースになりがちなキッチン４１のシンク４３側面とそれに対向する側面パネル４４との間の空間に収納されており、デッドスペースが有効に活用されている。また浄水器用フィルタカートリッジ２の交換時には、下方へのスライドにより、キッチン４１下方の引き出し４５を開けて、すぐ見やすく、簡単に手を入れてアクセスしやすい、交換作業を容易に行える位置に移動させることができる。スライド移動の可動距離は、収納・使用状態の位置から、引き出し４５を開けて交換作業がしやすく、かつ引き出し４５には当たらない位置までの距離とすればよく、キッチンの寸法に合わせて決定すればよい。
【０１０１】
このように、浄水器１がキッチン４１のシンク４３側面に対向する側面パネル４４の内面に設置され、浄水器用フィルタカートリッジ２が上下方向にスライド可能であるので、引き出しを閉める時に収納物が浄水器本体や浄水器用フィルタカートリッジに当たって閉まらなくなることが無く、キッチン下方の引き出しの収納空間を無駄にすることも全く無くて良いし、かつ浄水器用フィルタカートリッジ交換時には、浄水器用フィルタカートリッジを下方にスライドすることができるので、浄水器用フィルタカートリッジが見やすくアクセスしやすくなり、交換作業も容易になる。
【０１０２】
尚、浄水器用フィルタカートリッジ接続部および浄水器用フィルタカートリッジのスライド方向は上記のような上下方向ではなく、水平方向である形態も可能である。この場合、浄水器用フィルタカートリッジ収納・使用時には、浄水器用フィルタカートリッジがキッチンの背面パネルに近い奥側に位置し、浄水器用フィルタカートリッジ交換時には、水平方向にスライドし、キッチンの前面近くまで移動してくるようにする。そうすると、この形態でも、キッチン下方の収納空間を減少することがなく、浄水器用フィルタカートリッジ交換時に、スライド移動によって、浄水器用フィルタカートリッジを、キッチンの引き出しを開けて、見やすくアクセスしやすい位置に持って来ることができるので、容易に交換でき、交換に手間がかからない。
【０１０３】
当然ながら、スライド方向が、上下方向と水平方向を合わせたような斜め方向とする形態も可能である。特にキッチン背面上方から前面下方へと移動する斜め方向スライドが好ましい。
【０１０４】
次に浄水器１での水道水の浄化について説明する。浄水器用の水栓４２のレバーを回すなどして開栓すると、水道水が浄水器用フィルタカートリッジ接続部３の原水流路１３を介して、浄水器用フィルタカートリッジ２の原水受入口８６に流入する。円筒状の吸着材１０２の外径側から内径側に向かって均一に流れ、水道水中の遊離残留塩素が分解され、同時に水道水中の揮発性有機物が吸着除去される。次に、水は円筒状の吸着材１０２の内部の中空糸膜束１０５に到達する。水は中空糸膜の外径側から内径側に流れ、水中の濁質や細菌が中空糸膜に捕捉される。中空糸膜を通過した浄水は浄水器用フィルタカートリッジ２の浄水吐出口８８から吐出され、カートリッジ接続部３の浄水流路を介して浄水器用の水栓４２の吐出口からそのまま吐出される。使用者は美味しくて安全な浄水を得ることができる。
【０１０５】
次に浄水器１の浄水器用フィルタカートリッジ２の交換について説明する。図５において、まず引き出し４５を開け、キッチン４１内部に手を入れて、シンク４３側面に対向する側面パネル４４の内面に設置・収納されている浄水器１の浄水器用フィルタカートリッジ接続部３のつまみ３５を把持して、下方にスライド移動させる。浄水器用フィルタカートリッジ２と浄水器用フィルタカートリッジ接続部３は一体的に、固定部４（棒状レール３１）に対してスライドし、前述の制動機構によりゆっくりと下降してくる。そして浄水器用フィルタカートリッジ２と浄水器用フィルタカートリッジ接続部３は前述の停止機構（下端ストッパ３８）により、交換作業位置で止まる。浄水器用フィルタカートリッジ２が見やすくアクセスしやすい位置に停止するので、交換作業は容易になる。
【０１０６】
ここで、浄水器用フィルタカートリッジ２を反時計回りに９０度回すと、前述のバヨネット機構により浄水器用フィルタカートリッジ２が浄水器用フィルタカートリッジ接続部３から容易に外れる。
【０１０７】
次に未使用の浄水器用フィルタカートリッジ２を浄水器用フィルタカートリッジ接続部３に取り付ける。未使用の浄水器用フィルタカートリッジ２の先端を浄水器用フィルタカートリッジ接続部３のフィルタ挿入案内筒１７に挿入すると、浄水器用フィルタカートリッジ接続部３の中心軸に浄水器用フィルタカートリッジ２の中心軸が自ずと合うようになっている。浄水器用フィルタカートリッジ接続部３に到達した感触を得てから、未使用の浄水器用フィルタカートリッジ２を時計回りに９０度回すと、未使用の浄水器用フィルタカートリッジ２を浄水器用フィルタカートリッジ接続部３に確実に取り付けることができる。
【０１０８】
最後に、再度浄水器用フィルタカートリッジ接続部３のつまみ３５を把持して、浄水器用フィルタカートリッジ２と浄水器用フィルタカートリッジ接続部３を一体的に上方にスライド移動させる。前述の停止機構（上端ストッパ３７）により、浄水器用フィルタカートリッジ接続部３は元の収納位置に停止する。引き出し４５を閉め、浄水器用フィルタカートリッジ２の交換作業は、完了する。
【０１０９】
以下、本発明の他の実施形態例について説明する。図６は、本発明の第２の実施形態に係る浄水器フィルタカートリッジ保持器具に浄水器用フィルタカートリッジが着脱可能に取り付けられた浄水器の斜視図である。図７は、本発明の第２の実施形態に係る浄水器フィルタカートリッジ保持器具の斜視図である。および、図８は、本発明の第２の実施形態に係る浄水器フィルタカートリッジ保持器具に用いるスライドガイド部分の拡大矢視図である。
【０１１０】
図６、図７に示すように、浄水器２０１は、濾材を収納した浄水器用フィルタカートリッジ２０２と、原水入口管２１１と浄水出口管２１２とを備え、浄水器用フィルタカートリッジ２０２が着脱可能な浄水器用フィルタカートリッジ接続部２０３と、浄水器用フィルタカートリッジ接続部２０３が取り付けられ、壁面に固定可能な固定部２０４とから構成されている。図６、図７において、浄水器用フィルタカートリッジ接続部２０３は浄水器用フィルタカートリッジ２０２と一体的に、固定部２０４に対してスライド可能となっている。
【０１１１】
浄水器用フィルタカートリッジ接続部２０３は、接続部本体２１５と、接続部本体２１５を固定するベース２１６とから成る。接続部本体２１５および浄水器用フィルタカートリッジ２０２は、図１に示した本発明の第１の実施形態に係る浄水器の接続部本体１５および浄水器用フィルタカートリッジ２と同様の構造である。
【０１１２】
ベース２１６は長方形の平板状で、接続部本体２１５はボルトでベース２１６に固定されている。ベース２１６には、別部材である４つのコマ２２１が固定され、その２つずつが、後述する固定部２０４の２つのスライドレール２２２の縦溝２３２に係合して取り付いており、コマ２２１は、スライドガイドに対しスライド可能なスライダーとして機能している。また、コマ２２１は図８に示すように全体として断面形状がＩ字型をなし、逆Ｔ字型の縦溝２３２との係合で、互いに外れないように構成されている。この実施形態では、コマ２２１は、ボルト状部材とナットの組み合わせで構成されているが、単一の部材として製作され、ベース２１６に溶着等で固定されるものであってもよい。
【０１１３】
また、４つのコマ２２１に代って、ベースに断面形状がＴ字状の凸リブが２本形成され、または、取り付けられ、逆Ｔ字型の縦溝２３２との係合し合う形態であってもよい。
【０１１４】
また、長方形のベース２１６のコーナーの１カ所には、上側が平面で下側が円弧状の切り欠き２２３が形成されている。この切り欠き２２３は、後述する止め具２２７と組み合わさって、ベース２１６のスライド移動の一端におけるベース２１６の位置保持機構として機能する。
【０１１５】
次に固定部２０４について説明する。固定部２０４は、スライド方向を長手方向とする２つのカーテンレール状のスライドレール２２２を有し、そのスライドレール２２２には、スライド方向に沿った、断面形状が逆Ｔ字型の縦溝２３２が設けられている。この縦溝２３２に前述のベース２１６に固定されたコマ２２１が係合しており、スライドレール２２２は、コマ２２１のスライド方向の往復動に対するガイドを行うスライドガイドとして機能している。
【０１１６】
スライドレール２２２は、その逆Ｔ字型の縦溝２３２の底部を貫通するサラネジ（図示せず）により、壁面に固定されている。
【０１１７】
また、ベース２１６の下端部には、ベース２１６の下端部と壁面下方部との間を結ぶように、エアダンパー２２４が設けられている。エアダンパー２２４は、シリンダー２２５と、シリンダー２２５に挿入され摺動可能なピストン２２６とを有し、シリンダー２２５とピストン２２６との間にはガス（エア）が封入されているものである。ピストン２２６のシリンダー２２５外部の端部はベース２１６の下端部に固定され、シリンダー２２５の下端部は、壁面下方部に固定されている。また、この実施形態においては、シリンダー２２５の下端部は壁面下方部に固定されているが、シリンダー２２５の下端部は固定部に固定されていてもよい。
【０１１８】
また、シリンダー２２５の内部の両端には、ピストン２２６の摺動をその摺動範囲両端において、停止させるストッパが存在するので、ベース２１６のスライド移動範囲の両端（この第２の実施形態においては、上端と下端）は、そのストッパが決めるエアダンパー２２４のピストン２２６の摺動範囲で決定され、ベース２１６のスライド移動はそのストッパによって停止されることになる。従って、エアダンパー２２４のストッパが、この第２の実施形態における、ベース２１６の動きをスライドレール２２２に対して停止させる停止機構となっている。特に、下端側のストッパについては、エアダンパー２２４が、下端位置にベース２１６を保持できるので、エアダンパー２２４は下端位置におけるベース２１６の位置保持機構ともなる。
【０１１９】
ベース２１６が上方から下方へスライド移動する時、エアダンパー２２４のピストン２２６が縮むようにシリンダー２２５内に入り込むが、その際封入されたガスの圧縮抵抗が作用するので、ベース２１６のスライド移動は急速には行われず、スライド移動のスピードが制御され、制動された動きとなる。従ってエアダンパー２２４は、ベース２１６のスライド移動の制動機構として機能している。この制動機構により、使用者はベース２１６および浄水器用フィルタカートリッジ２０２のスライド移動を、確認しつつ、ゆっくりと安全に行うことができる。
【０１２０】
また逆に、ベース２１６が下方から上方へスライド移動する時は、エアダンパー２２４が伸張し、エアダンパー内に封入されたガスの圧力がスライド移動を付勢するので、過大な労力を必要とせず、容易なスライド移動が可能となる。
【０１２１】
つまり、エアダンパー２２４に採用により、下降スライドではエアダンパー圧縮での制動が働き、上昇スライドではエアダンパー伸張での付勢が働くので、スライドが行いやすい。
【０１２２】
次に、壁面には止め具２２７が、その固定軸２２８中心に回転可能となるように設けられている。ここで、止め具２２７は、上側が平面で下側が円弧状の凸２２９を有し、上記の凸２２９は、前述のベース２１６の切り欠き２２３に係合する。また、止め具２２７の上端には、スプリング２３０の一方の端部が固定されており、スプリング２３０の他方の端部は壁面に固定されている。このスプリング２３０によって、止め具２２７の上端は、図６、図７において、固定軸２２８回りに右回転方向に引っ張られている。このような止め具２２７と切り欠き２２３の構成のため、ベース２１６が下方から上方にスライドして来てスライド移動の上端に到ると、止め具２２７の凸２２９と切り欠き２２３がスムーズに係合する。そして一度係合すると、スプリング２３０の止め具２２７の上端の右回転方向への引っ張り力のために、上記の凸２２９が切り欠き２２３から外れるのが抑制される。すなわち、上記の機構によりベース２１６が下方にスライドすることを防止するので、止め具２２７と切り欠き２２３とは、ベース２１６のスライド移動の上端におけるベース２１６の位置保持機構として機能する。
【０１２３】
一方で、この保持機構を解除させるためには、止め具２２７の下端には解除レバー２３１が取り付いている。この解除レバー２３１を図６、図７において、右方向に引っ張ると、止め具２２７の凸２２９と切り欠き２２３との係合が外れて、ベース２１６は下方にスライド可能となる。
【０１２４】
また、図６、図７において、スライドレール２２２は、スライド方向が鉛直方向に対して（２０度）傾斜するように壁面に配置されている。従って、このような配置で、この浄水器２０１がキッチンの側面パネルの内面に設置されるとすると、浄水器用フィルタカートリッジ２０２が、スライドにより、上方の収納位置から下方の浄水器用フィルタカートリッジ交換作業位置に下降してくる際、少し斜め前方に出てくることになるので、鉛直方向に下降スライドする形態に比べて、より浄水器用フィルタカートリッジ２０２が見やすくなり、交換作業もより容易になる。
【０１２５】
図６、図７において、スライドレール２２２、止め具２２７、エアダンパー２２４の下端部は、それぞれ直接、壁面に固定されているが、それらが１つの基板に固定されて、その基板が壁面に固定される形態であってもよい。この形態であれば、浄水器２０１を構成する全ての部材を基板上にユニットとして組み込むことができ、そのユニットをキッチン内壁面などに、一括固定できるので便利である。
【０１２６】
次に、本発明の第３の実施形態に係る浄水器について説明する。図９は、本発明の第３の実施形態に係る浄水器フィルタカートリッジ保持器具に浄水器用フィルタカートリッジが着脱可能に取り付けられた浄水器の正面の斜視図である。図１０は、本発明の第３の実施形態に係る浄水器フィルタカートリッジ保持器具に浄水器用フィルタカートリッジが着脱可能に取り付けられた浄水器の背面の斜視図である。  図９、図１０に示すように、浄水器３０１は、濾材を収納した浄水器用フィルタカートリッジ３０２と原水入口管３１１と浄水出口管３１２とを備え浄水器用フィルタカートリッジ３０２が着脱可能な浄水器用フィルタカートリッジ接続部３０３と、浄水器用フィルタカートリッジ接続部３０３が取り付けられ壁面に固定可能な固定部３０４とから構成されている。図９、図１０において、浄水器用フィルタカートリッジ接続部３０３は浄水器用フィルタカートリッジ３０２と一体的に、固定部３０４に対してスライド可能となっている。
【０１２７】
浄水器用フィルタカートリッジ接続部３０３は、接続部本体３１５と、接続部本体３１５を固定するベース３１６とから成る。接続部本体３１５および浄水器用フィルタカートリッジ３０２は、図１に示す本発明の第１の実施形態に係る浄水器の有する接続部本体１５および浄水器用フィルタカートリッジ２と同様の構造である。
【０１２８】
ベース３１６は平板状で、接続部本体３１５はボルトでベース３１６に固定されている。ベース３１６には、図９において左側のスライド方向に沿った細長い長孔３２１と、右側の２つのスライド方向に沿った細長い長方形の切り欠き（第１の切り欠き３２２および第２の切り欠き３３１）とが設けられている。また、細長い長孔３２１は後述する固定部としてのボルト３２３に係合して取り付いており、また、２つの細長い長方形の切り欠き（は後述する２つの固定部としての角型スライドガイド（第１の角型スライドガイド３２４および第２の角型スライドガイド３３２）とに、それぞれ係合して取り付いている。ここで、ベース３１６は、スライドガイドの機能をあわせもつ固定部３０４に対しスライド可能なスライダーとして機能する。
【０１２９】
図９、図１０に示すように、ベース３１６の上下方向に沿う両辺部分の一方には、直線状のギアとしてのラック３２５が形成されている。このラック３２５は、後述するピニオン３２６と組み合わさって、ベース３１６のスライド移動における制動機構、ベース３１６の位置保持機構として機能する。
【０１３０】
次に、固定部３０４について説明する。この実施形態においては、固定部３０４は、壁面に固定されたボルト３２３と、壁面に固定された２つの角型スライドガイド（第１の角型スライドガイド３２４および第２の角型スライドガイド３３２）とで構成される。これらのボルト３２３、第１の角型スライドガイド３２４、および、第２の角型スライドガイド３３２とは、前述のベース３１６の長孔３２１、第１の切り欠き３２２、および、第２の切り欠き３３１と、それぞれ係合しており、それらは、ベース３１６のスライド方向の往復動に対するガイドを行うスライドガイドとして機能している。
【０１３１】
ここで、第１の実施形態と第２の実施形態では、固定部（スライドガイド）側にスライドに対応し得るスライド方向の長尺の形状が形成されていたが、この第３の実施形態では、ベース３１６の側にスライドに対応し得るスライド方向の長尺の形状（すなわち、長孔３２１、第１の切り欠き３２２および第２の切り欠き３３１）が形成されている。
【０１３２】
また、固定部３０４が固定される壁面には、それぞれ軸回りに回転可能な小プーリ３２７、大プーリ３２８が設けられている。小プーリ３２７と大プーリ３２８とはベルト３２９で連結され、回転運動を伝導できるようになっている。図１０に示すように大プーリ３２８には、それより小径のピニオン３２６が同軸に取り付けられている。そして、ピニオン３２６は前述のラック３２５と係合している。このような構成により、小プーリ３２７のハンドル３３０でもって、小プーリ３２７を回転させると、ベルト３２９を介して大プーリ３２８が回転し、それに伴ってピニオン３２６が回転する。そして、ピニオン３２６に係合するラック３２５は、いわゆるラック＆ピニオン機構によって、上下方向の直線運動を行うことになる。すなわち、本発明の第３の実施形態では、小プーリ３２７を回転させることで、ベース３１６は上下方向のスライド移動を行う。また、小プーリ３２７の回転の向きに応じて、ベース３１６は上方または下方へのスライド移動を行う。また、この実施形態においては、小プーリと、大プーリおよびピニオンとは壁面に回転可能に固定されているが、小プーリと、大プーリおよびピニオンとは固定部に回転可能に固定されていてもよい。
【０１３３】
また、スライダーとしてのベース３１６は、ラック＆ピニオン機構の採用により、制動の効いた安定してスムーズな直線運動のスライド移動をすることが可能となっている。すなわち、本発明の第３の実施形態では、ラック＆ピニオン機構が制動機構となる。
【０１３４】
また、２つの角型スライドガイドの内、第１の角型スライドガイド３２４は、ベース３１６のスライド移動の上端の停止機構として、また第２の角型スライドガイド３３２は、ベース３１６のスライド移動の下端の停止機構として、機能している。すなわち、２つの角型スライドガイドは、ベース３１６のスライド移動の上端と下端のストッパにもなっており、本発明の第３の実施形態における停止機構となる。
【０１３５】
上述のとおり、ラック３２５、ピニオン３２６、２つのプーリ（小プーリ３２７および大プーリ３２８）およびベルト３２９の機構は、スライドの駆動機構ではある。ここで、駆動機構のギア比とプーリの大小関係によって駆動機構に内在する摩擦抵抗はスライド移動の大きな抵抗となる。よって、上記のスライド移動の大きな抵抗により、ベース３１６のスライド移動は、制動が効いたゆっくりとした安全な動きとなる。また、上記のスライド移動の大きな抵抗により、スライド移動範囲の下端以外の位置においても、ベース３１６および浄水器用フィルタカートリッジ３０２は、使用者がハンドル３３０から手を離しても、その位置に止まったまま保持される。すなわち、本発明の第３の実施形態においては、上記のスライドの駆動機構はベース３１６および浄水器用フィルタカートリッジ３０２の位置保持機構ともなっている。
【０１３６】
第２の実施形態と同様に、ボルト３２３、２つの角型スライドガイド、２つのプーリ（小プーリ３２７および大プーリ３２８）が、それぞれ直接、壁面に固定されるのではなく、それらが１つの基板に固定されて、その基板が壁面に固定される形態であってもよい。この形態であれば、浄水器３０１を構成する全ての部材を基板上にユニットとして組み込むことができ、そのユニットをキッチン内壁面などに、一括固定できるので便利である。
【０１３７】
図１１、図１２は、本発明の第４の実施形態に係る浄水器フィルタカートリッジ保持器具に浄水器用フィルタカートリッジが着脱可能に取り付けられた浄水器の斜視図である。なお、図１２は、図１１に示す浄水器の壁面に固定される側の斜視図である。
【０１３８】
図１１に示すように、浄水器４０１は、（Ｉ）濾材を収納した浄水器用フィルタカートリッジ４０２と、（ＩＩ）原水入口管４１１と浄水出口管４１２を備え浄水器用フィルタカートリッジ４０２が着脱可能な状態で固定される浄水器用フィルタカートリッジ接続部４０３と、（ＩＩＩ）壁面固定可能な固定部４０９（後述する図１３についての記載で詳細を説明する）とから構成されている。
【０１３９】
浄水器用フィルタカートリッジ接続部４０３は、ステンレスやアルミなどの金属でも、ＡＢＳ樹脂、ポリカーボネート、ポリスチレン、ポリプロピレンなどの樹脂でも良いが、外観の良いＡＢＳ樹脂を射出成形で製造するのが、外観および製造コストに関してメリットがある。
【０１４０】
また、本形態の浄水器フィルタカートリッジ保持器具は、可動部材とスライドガイドとから構成されるスライド機構を有しており、浄水器用フィルタカートリッジ接続部４０３は、浄水器用フィルタカートリッジ４０２および浄水器用フィルタカートリッジ接続部が備える可動部材４１０と一体的に、固定部４０９に対して一方方向にスライド可能となっている。ここで、浄水器用フィルタカートリッジ接続部４０３に設けられた可動部材４１０は、固定部４０９に設けられたスライドガイド４１４に沿ってスライドし、第1の停止機構と第２の停止機構とによってスライド移動が規制されている。本形態の浄水器フィルタカートリッジ保持器具では、第１の停止機構は固定部４０９に設けられたスライドガイド４１４の浄水器用フィルタカートリッジ接続部側の端部であり、第２の停止機構は固定部４０９に設けられたスライドガイド４１４の浄水器用フィルタカートリッジ側の端部である。また、本形態の浄水器フィルタカートリッジ保持器具では、可動部材４１０が第２の停止機構と接触した状態で、浄水器用フィルタカートリッジ接続部４０３は、可動部材４１０を軸として固定部４０９に対して回転可能である。
【０１４１】
このように浄水器用フィルタカートリッジ接続部４０３と浄水器用フィルタカートリッジ４０２とが一体的にスライド可能であるので、浄水器用フィルタカートリッジ４０２の位置を、浄水器用フィルタカートリッジを収納・使用する場合の位置と、浄水器用フィルタカートリッジを交換する場合の位置とに移動して変えることができ、浄水器用フィルタカートリッジを収納・使用する場合や浄水器用フィルタカートリッジを交換する場合のそれぞれの場合において浄水器用フィルタカートリッジ４０２の位置を使用者にとって便利なものにすることができるという効果がある。特に浄水器用フィルタカートリッジを交換する時に、スライド移動によって、浄水器用フィルタカートリッジ４０２を、使用者が見やすく、アクセスしやすい位置に持ってくることができるので、容易に浄水器用フィルタカートリッジを交換でき、交換に手間がかからない。
【０１４２】
さらに、上述したとおり、本形態の浄水器フィルタカートリッジ保持器具では、浄水器用フィルタカートリッジ接続部４０３が可動部材４１０を軸として回転するので、浄水器フィルタカートリッジを交換する場合に浄水器用フィルタカートリッジが使用者から見えやすくなり、交換作業もより容易となる。さらに、本形態の浄水器フィルタカートリッジ保持器具では、固定部が回動制限機構を有している。固定部が、回動制限機構を有することで、使用者は浄水器用フィルタカートリッジの交換の際に浄水器用フィルタカートリッジを交換に適した位置に固定することができる。ここで、回動制限機構としては、後述する図１２に示された固定部４０９の底板４０７が備える傾斜固定板４０４が挙げられる。
【０１４３】
次に、固定部について説明する。図１３は、図１１に示す浄水器が備える固定部を示している。固定部４０９は壁面と接触する壁固定板４０５と、壁面と接触しない非壁固定板４０６、底板４０７から構成されるコの字形状の部材である。固定部４０９は、壁固定板４０５と非壁固定板４０６に、それらの長手方向に沿ったスライドガイド４１４を有している。また、固定部４０９は壁固定板４０５を貫通するネジ４１７により壁面に固定される。
【０１４４】
固定部４０９は、ステンレスやアルミなどの金属でも、ＡＢＳ樹脂、ポリカーボネート、ポリスチレン、ポリプロピレンなどの樹脂でも良いが、外観の良いＡＢＳ樹脂を射出成形で製造するのが、外観および製造コストに関してメリットがある。
【０１４５】
次に、回動制限機構である傾斜固定板４０４について説明する。傾斜固定板４０４は、前記底板４０７に対して傾いて取り付けられている。傾斜固定板４０４と底板４０７の浄水器用カートリッジと接する側の面の反対側の面との傾斜角度は１００〜１７０°が望ましい。そのようにすることで、使用者が浄水器用フィルタカートリッジ４０２を交換する際に、キッチン上部から下方向に浄水器用フィルタカートリッジ４０２を移動させて、手元で交換することができる。ここで、図１４は、可動部材４１０が第２の停止機構と接触しておりフィルタカートリッジ接続部が前記固定部に対して回動可能となっている状態の浄水器の斜視図である。さらに、この浄水器では、フィルタカートリッジ接続部の一部が回動制限機構である傾斜固定板と接触しており、フィルタカートリッジ接続部の回動の範囲が制限されている。
【０１４６】
また、図１６は、本発明の第４の実施形態に係る浄水器フィルタカートリッジ保持器具を備える浄水器であるが、図１１に示す浄水器の形態とは異なる形態の浄水器を示す。図１１に示す浄水器の形態では、可動部材４１０はボルト状部材で構成されているが、図１６に示す浄水器の形態では、可動部４１０は浄水器用フィルタカートリッジ接続部４０３にめねじが設けられており、スライドガイド４１４を通してスダッド状ネジが上記のめねじにねじ込まれ、さらにナットで締め付けて構成されている。
【０１４７】
可動部材４１０は、ＡＢＳ樹脂、ポリカーボネート、ポリスチレン、ポリプロピレンなどの樹脂でも良いが、部材の強度や部材の磨耗を考慮するとステンレスやアルミなどの金属が好ましい。
【０１４８】
図１５は、本発明の第４の実施形態に係る浄水器フィルタカートリッジ保持器具を備える浄水器であるが、図１１や図１６に示す浄水器の形態とは異なる形態の浄水器を示す。すなわち、図１５に示すように、スライドガイド４１４は、直線状ではなく、複数の凹凸部(山と谷)を持った形状であっても良い。その様なスライドレールで可動部材４１０を移動させると、可動部材４１０は山(凸)を乗り越え、谷(凹)に落ち込みつつ動くので、スライド移動が急速に行われず、スライド移動のスピードが制動された動きとなる。また、この形態においては、スライドガイド４１４の長手方向が地面に対して傾くように固定部が壁面に設置されていても、上記の理由により浄水器用フィルタカートリッジ接続部が急速に行われることがないため、使用者による浄水器用フィルタカートリッジの交換をより行いやすいものとすることができる。
【産業上の利用可能性】
【０１４９】
本発明は、浄水器用フィルタカートリッジ保持器具に関し、上記の浄水器用フィルタカートリッジ保持器具に浄水器用フィルタカートリッジを着脱可能に取り付けることで水道水を浄化する浄水器となる。上記の浄水器用フィルタカートリッジ保持器具について、さらに詳しくは、キッチン内部の空間に設置するアンダーシンク型浄水器に関するものであるが、壁掛型浄水器、スタンド型浄水器など浄水器全般に応用できる。すなわち、本発明の浄水器用フィルタカートリッジ保持器具は、アンダーシンク型浄水器用に限定されるものではない。
【符号の説明】
【０１５０】
１、２０１、３０１、４０１  浄水器
２、２０２、３０２、４０２  浄水器用フィルタカートリッジ
３、２０３、３０３、４０３  浄水器用フィルタカートリッジ接続部
４、２０４、３０４、４０９  固定部
１１、２１１、３１１、４１１  原水入口管
１２、２１２、３１２、４１２  浄水出口管
１５、２１５、３１５  接続部本体
１６、２１６、３１６  ベース
１７  フィルタ挿入案内筒
２２  外筒
３１  棒状レール
３２  縦溝
３３  板バネ固定ブロック
３４  板バネ
３５  つまみ
３６  固定足
３７  上端ストッパ
３８  下端ストッパ
３９  板バネガイド
４１  キッチン
４２  水栓
４３  シンク
４４  側面パネル
４５  引き出し
８１  フィルタ本体
８２  フィルタ上蓋
８３  濾材ユニット
８４  中心軸
８５  補強リブ
８６  原水受入口
８７  小径Ｏリング
８８  浄水吐出口
８９  大径Ｏリング
９１  凸部
９２  凸部
９３  内側円筒
１０１  入口キャップ
１０２  吸着材
１０３  出口キャップ
１０４  接続キャップ
１０５  中空糸膜束
１０６  注型材
１１１  吸着材成形体
１１２  内径側芯材
１１３  外径側不織布
１２０  中心軸穴
１２１  リブ
１２２  リブ
１２３  溝
１２４  接着剤
１２５  開口
１２６  リブ
１２７  リブ
１２８  接着剤
１２９  溝
１３０  鍔部
１３１  大筒
１３２  小筒
１３３  第１接続部
１３４  第２接続部
１３６  Ｏリング
２２１  コマ
２２２  スライドレール
２２３  切り欠き
２２４  エアダンパー
２２５  シリンダー
２２６  ピストン
２２７  止め具
２２８  固定軸
２２９  凸
２３０  スプリング
２３１  解除レバー
３２１  長孔
３２２  第１の切り欠き
３２３  ボルト
３２４  第１の角型スライドガイド
３２５  ラック
３２６  ピニオン
３２７  小プーリ
３２８  大プーリ
３２９  ベルト
３３０  ハンドル
３３１  第２の切り欠き
３３２  第２の角型スライドガイド
４０４  傾斜固定部材
４０５  壁固定板
４０６  非壁固定板
４０７  底板
４１０  可動部材
４１４  スライドガイド
４１７  ネジ
【図１】
2016104476.tif 000003
【図２】
2016104476.tif 000004
【図３】
2016104476.tif 000005
【図４】
2016104476.tif 000006
【図５】
2016104476.tif 000007
【図６】
2016104476.tif 000008
【図７】
2016104476.tif 000009
【図８】
2016104476.tif 000010
【図９】
2016104476.tif 000011
【図１０】
2016104476.tif 000012
【図１１】
2016104476.tif 000013
【図１２】
2016104476.tif 000014
【図１３】
2016104476.tif 000015
【図１４】
2016104476.tif 000016
【図１５】
2016104476.tif 000017
【図１６】
2016104476.tif 000018